(57)【要約】  粘度指数向上剤の添加量が少量であっても高粘度指数化を実施でき、大幅な低粘度化による高い省燃費性とユニット部材耐久性および経済性を両立することができる潤滑油組成物として、１００℃における動粘度が２．５ｍｍ２／ｓ以上、４．５ｍｍ２／ｓ以下でありかつ粘度指数が１１０以上であるワックス異性化基油を用い、１００℃における動粘度が４．０ｍｍ２／ｓ以上、７．５ｍｍ２／ｓ以下であることを特徴とする潤滑油組成物が提供される。【特許請求の範囲】
【請求項１】
１００℃における動粘度が２．５ｍｍ２／ｓ以上、４．５ｍｍ２／ｓ以下でありかつ粘度指数が１１０以上であるワックス異性化基油を用い、１００℃における動粘度が４．０ｍｍ２／ｓ以上、７．５ｍｍ２／ｓ以下であることを特徴とする潤滑油組成物。
【請求項２】
前記ワックス異性化基油が、粘度指数が１１０以上でありかつ１００℃における動粘度が２．５ｍｍ２／ｓ以上、３．３ｍｍ２／ｓ未満である軽質基油、粘度指数が１２５以上でありかつ１００℃における動粘度が３．３ｍｍ２／ｓ以上、４．５ｍｍ２／ｓ未満である中粘度基油、および粘度指数が１３５以上でありかつ１００℃における動粘度が４．５ｍｍ２／ｓ以上、１０．０ｍｍ２／ｓ以下である高粘度基油から選ばれる各種ワックス異性化基油の１種又は２種以上を組み合わせて得られることを特徴とする請求項１に記載の潤滑油組成物。
【請求項３】
チアジアゾールを組成物全量基準で０．０５質量％以上含有することを特徴とする請求項１または２に記載の潤滑油組成物。
【請求項４】
さらにホウ酸変性アルケニルコハク酸イミド系分散剤を組成物全量基準ホウ素元素換算で５０質量ｐｐｍ以上４００質量ｐｐｍ以下、かつカルシウムスルフォネート系清浄剤を組成物全量基準カルシウム元素換算で１００質量ｐｐｍ以上、５００質量ｐｐｍ以下含有し、ホウ素元素換算質量（［Ｂ］）／カルシウム元素換算質量（［Ｃａ］）の比率（［Ｂ］／［Ｃａ］）が０．１〜３．０であることを特徴とする請求項１〜３のいずれか１項に記載の潤滑油組成物。
【請求項５】
前記カルシウムスルフォネート系清浄剤の塩基価が３００〜６００ｍｇＫＯＨ／ｇであることを特徴とする請求項４に記載の潤滑油組成物。
【請求項６】
さらに下記一般式（１）および／または（２）で示される脂肪族アミド化合物を０．５質量％以上含有することを特徴とする請求項１〜５のいずれか１項に記載の潤滑油組成物。
【化１】
2016157955.tif 000010
（式（１）中、Ｒ１は炭素数１０〜３０のアルキル基またはアルケニル基、Ｒ２およびＲ３はそれぞれ個別に水素又は炭素数１〜３のアルキル基、Ｒ４は炭素数１〜４のアルキレン基、Ｒ５およびＲ６はそれぞれ個別に水素又は炭素数１〜３のアルキル基、Ｒ７は水素または炭素数１〜３０のアルキル基またはアルケニル基を示し、ｋは０〜６、ｍは０〜２、ｎ、ｐおよびｒはそれぞれ０〜１の整数を表す。）
【化２】
2016157955.tif 000011
（式（２）中、Ｒ１およびＲ２はそれぞれ個別に炭素数１０〜３０のアルキル基またはアルケニル基であり、直鎖もしくはメチル基を１つ置換基に持つ直鎖状の基である。ｍは３〜３０の整数を表す。Ｘは個別に水素、Ｒ３−ＣＯ−、またはＲ４−ＣＯ−ＮＨ−（ＣＨ２）ｎ−を表す。ここでＲ３およびＲ４は個別に炭素数１０〜３０のアルキル基またはアルケニル基であり、ｎは１〜３の整数である。）
【請求項７】
さらにリン系添加剤をリン元素換算で０．００５〜０．１０質量％含有することを特徴とする請求項１〜６のいずれか１項に記載の潤滑油組成物。
【請求項８】
チェーンベルト式無段変速機用であることを特徴とする請求項１〜７のいずれか１項に記載の潤滑油組成物。
【発明の詳細な説明】
【技術分野】
【０００１】
本発明は、潤滑油組成物、特にベルト式無段変速機に好適な潤滑油組成物に関する。
【背景技術】
【０００２】
近年、自動車には省燃費化が求められており、潤滑油にも撹拌ロス低減を目的とした低粘度化要求が高まっている。一方で低粘度化を実施すると、ユニット部材間に介在する潤滑油膜が薄くなる高温域において部材の金属接触に伴う異常摩耗や焼き付きを生じ、ユニット部材の耐久性低下を引き起こす恐れがある。そのため、高温域での粘度を変えずに常用温度域を低粘度化する高粘度指数化を実施することで省燃費性とユニット耐久性が両立可能であることは広く知られている。
高粘度指数化を実現するには、例えばＰＭＡ（ポリメタクリレート）タイプの粘度指数向上剤を適用することが有効である（例えば特許文献１、２）。しかし、粘度指数向上剤の適用はコスト増につながるため、経済性の観点から粘度指数向上剤の添加量はできるだけ少ないことが望ましい。
【先行技術文献】
【特許文献】
【０００３】
【特許文献１】特開平０８−０５３６８７号公報
【特許文献２】特開２００８−０２４９０８号公報
【発明の概要】
【発明が解決しようとする課題】
【０００４】
本発明は、以上のような事情に鑑み、粘度指数向上剤の添加量が少量であっても高粘度指数化を実施でき、省燃費性とユニット耐久性が両立可能な潤滑油組成物を提供することを目的とする。
【課題を解決するための手段】
【０００５】
本発明者らは前記課題について鋭意研究した結果、潤滑油組成物に高粘度指数特性を示すワックス異性化基油を適用することにより、大幅な低粘度化による高い省燃費性とユニット部材耐久性および経済性を両立することができることを見出し、本発明を完成するに至った。【０００６】
すなわち、本発明は、１００℃における動粘度が２．５ｍｍ２／ｓ以上、４．５ｍｍ２／ｓ以下でありかつ粘度指数が１１０以上であるワックス異性化基油を用い、１００℃における動粘度が４．０ｍｍ２／ｓ以上、７．５ｍｍ２／ｓ以下であることを特徴とする潤滑油組成物に関する。【０００７】
また、本発明は、前記ワックス異性化基油が、粘度指数が１１０以上でありかつ１００℃における動粘度が２．５ｍｍ２／ｓ以上、３．３ｍｍ２／ｓ未満である軽質基油、粘度指数が１２５以上でありかつ１００℃における動粘度が３．３ｍｍ２／ｓ  以上、４．５ｍｍ２／ｓ未満である中粘度基油、および粘度指数が１３５以上でありかつ１００℃における動粘度が４．５ｍｍ２／ｓ以上、１０．０ｍｍ２／ｓ以下である高粘度基油から選ばれる各種ワックス異性化基油の１種又は２種以上を組み合わせて得られることを特徴とする前記の潤滑油組成物に関する。【０００８】
また、本発明は、チアジアゾールを組成物全量基準で０．０５質量％以上含有することを特徴とする前記の潤滑油組成物に関する。【０００９】
また、本発明は、さらにホウ酸変性アルケニルコハク酸イミド系分散剤を組成物全量基準ホウ素元素換算で５０質量ｐｐｍ以上４００質量ｐｐｍ以下、かつカルシウムスルフォネート系清浄剤を組成物全量基準カルシウム元素換算で１００質量ｐｐｍ以上、５００質量ｐｐｍ以下含有し、ホウ素元素換算質量（［Ｂ］）／カルシウム元素換算質量（［Ｃａ］）の比率（［Ｂ］／［Ｃａ］）が０．１〜３．０であることを特徴とする前記の潤滑油組成物に関する。【００１０】
また、本発明は、前記カルシウムスルフォネート系清浄剤の塩基価が３００〜６００ｍｇＫＯＨ／ｇであることを特徴とする前記の潤滑油組成物に関する。【００１１】
また、本発明は、さらに下記一般式（１）および／または（２）で示される脂肪族アミド化合物を０．５質量％以上含有することを特徴とする前記の潤滑油組成物に関する。
【化１】
2016157955.tif 000002
（式（１）中、Ｒ１は炭素数１０〜３０のアルキル基またはアルケニル基、Ｒ２およびＲ３はそれぞれ個別に水素又は炭素数１〜３のアルキル基、Ｒ４は炭素数１〜４のアルキレン基、Ｒ５およびＲ６はそれぞれ個別に水素又は炭素数１〜３のアルキル基、Ｒ７は水素または炭素数１〜３０のアルキル基またはアルケニル基を示し、ｋは０〜６、ｍは０〜２、ｎ、ｐおよびｒはそれぞれ０〜１の整数を表す。）
【化２】
2016157955.tif 000003
（式（２）中、Ｒ１およびＲ２はそれぞれ個別に炭素数１０〜３０のアルキル基またはアルケニル基であり、直鎖もしくはメチル基を１つ置換基に持つ直鎖状の基である。ｍは３〜３０の整数を表す。Ｘは個別に水素、Ｒ３−ＣＯ−、またはＲ４−ＣＯ−ＮＨ−（ＣＨ２）ｎ−を表す。ここでＲ３およびＲ４は個別に炭素数１０〜３０のアルキル基またはアルケニル基であり、ｎは１〜３の整数である。）【００１２】
また、本発明は、さらにリン系添加剤をリン元素換算で０．０５〜０．１０質量％含有することを特徴とする前記の潤滑油組成物に関する。【００１３】
また、本発明は、チェーンベルト式無段変速機用であることを特徴とする前記の潤滑油組成物に関する。
【発明の効果】
【００１４】
本発明によれば、大幅な低粘度化による高い省燃費性とユニット部材耐久性および経済性を両立することができる。さらに特定の摩擦調整剤および硫黄系極圧剤、無灰系分散剤、金属系清浄剤をそれぞれ特定量及び特定量比で含むことでシャダー防止性、金損間摩擦係数の向上、チェーンベルト式無段変速機のベルトノイズを改善可能となる。
【発明を実施するための形態】
【００１５】
以下、本発明について詳述する。
【００１６】
本発明に係る潤滑油基油は、ワックス異性化基油である。ワックス異性化基油とは石油系等のワックスを異性化したものを広く意味し、本発明においては下記性状を満たす限りいずれのワックス異性化基油を用いることができる。また本発明に係る潤滑油基油は混合物であっても良く、混合物である場合には混合物が下記性状を満たせば良い。
【００１７】
本発明に係るワックス異性化基油の１００℃における動粘度は、２．５ｍｍ２／ｓ以上であることが必要であり、２．７ｍｍ２／ｓ以上が好ましく、３ｍｍ２／ｓ以上がより好ましい。２．５ｍｍ２／ｓ以上にすることで、十分な潤滑性を確保でき、また潤滑油基油の蒸発損失を抑制することができる。
一方、１００℃における動粘度は、４．５ｍｍ２／ｓ以下であることが必要であり、４．２ｍｍ２／ｓ以下が好ましく、４．０ｍｍ２／ｓ以下がより好ましい。４．５ｍｍ２／ｓ以下にすることで、低温粘度特性に優れた潤滑油組成物を得られる。
【００１８】
本発明に係るワックス異性化基油としては、１００℃における動粘度が２．５ｍｍ２／ｓ以上、３．３ｍｍ２／ｓ未満でかつ粘度指数が１１０以上である軽質基油、１００℃における動粘度が３．３ｍｍ２／ｓ以上、４．５ｍｍ２／ｓ未満でかつ粘度指数が１２５以上である中粘度基油、１００℃における動粘度が４．５ｍｍ２／ｓ以上、１０．０ｍｍ２／ｓ以下でかつ粘度指数が１３５以上である高粘度基油から選ばれる基油の１種又は２種以上を組み合わせて得られるものが好ましい。
例えば、上記軽質基油や上記中粘度基油についてはそれぞれ単独の基油でもよく、また他の基油との混合物であってもよい。上記高粘度基油については、上記軽質基油および／または上記中粘度基油との混合物とすることで本発明に係るワックス異性化基油とすることができる。
【００１９】
本発明に係るワックス異性化基油の粘度指数は、１１０以上であることが必要であり、１２０以上が好ましく、１３０以上がより好ましい。粘度指数を１１０以上とすることによって、低温から高温にわたり良好な粘度特性を示す組成物を得ることができる。
一方、上限については特に制限はないが、通常２００以下であり、１６０以下が好ましい。粘度指数が高すぎると低温時の粘度が高くなる傾向があり好ましくない。
【００２０】
ワックス異性化基油の流動点は−１０℃以下が好ましく、−１２．５℃以下がより好ましく、−１５℃以下がさらに好ましく、−２０．０℃以下が特に好ましい。また、その下限については特に制限はないが、低すぎると粘度指数が低下することと、脱ろう工程における経済性の点で、好ましくは−５０℃以上であり、より好ましくは−４５℃以上、さらに好ましくは−４０℃以上、最も好ましくは−３７．５℃以上である。ワックス異性化基油の流動点を−１０℃以下とすることで低温粘度特性に優れた潤滑油組成物を得ることができる。また−５０℃より低くすると十分な粘度指数が得られない。
なお、脱ろう工程としては溶剤脱ろう、接触脱ろうのいずれの工程を適用してもよいが、低温粘度特性をより改善できる点で接触脱ろう工程であることが特に好ましい。
【００２１】
また、ワックス異性化基油の％ＣＰについては、熱・酸化安定性と粘度温度特性をより高めることができる点で、８０以上であることが好ましく、より好ましくは８５以上、特に好ましくは９０以上である。
【００２２】
また、ワックス異性化基油の％ＣＮについては２０以下であることが好ましく、より好ましくは１５以下であり、さらに好ましくは１２以下である。また２以上であることが好ましく、金属疲労寿命をより高めることができる点で、より好ましくは３以上、さらに好ましくは５以上、特に好ましくは７以上である。
【００２３】
また、ワックス異性化基油の％ＣＡについては１以下であることが好ましく、０．５以下であることがより好ましく、０．１以下であることがさらに好ましく、０であることが最も好ましい。１を超えると熱・酸化安定性が低下する。
【００２４】
なお、本発明でいう％ＣＰ、％ＣＮ及び％ＣＡとは、それぞれＡＳＴＭ  Ｄ  ３２３８−８５に準拠した方法（ｎ−ｄ−Ｍ環分析）により求められる、パラフィン炭素数の全炭素数に対する百分率、ナフテン炭素数の全炭素数に対する百分率、及び芳香族炭素数の全炭素数に対する百分率を意味する。
【００２５】
ワックス異性化基油成分の飽和分の含有量については特に制限はないが、熱・酸化安定性と粘度温度特性をより高めることができる点で、好ましくは９０質量％以上、より好ましくは９４質量％以上、さらに好ましくは９８質量％以上、特に好ましくは９９質量％以上、最も好ましくは１００質量％である。
【００２６】
ワックス異性化基油は、１種の鉱油のみであっても、また２種以上の鉱油の混合物であってもよいが、混合物の方が粘度指数を高くできるため好ましい。
【００２７】
ワックス異性化基油は、上記性状を有する限りにおいてその製造法に特に制限はないが、具体的には、以下に示す（ｉ）〜（iii）から選ばれるワックスを水素化異性化し、その生成物又はその生成物から蒸留等により回収される潤滑油留分について溶剤脱ろうや接触脱ろうなどの脱ろう処理を行い、または、当該脱ろう処理をしたあとに蒸留することによって得られる水素化異性化鉱油が挙げられる。
【００２８】
（ｉ）潤滑油脱ろう工程により得られるワックス（スラックワックス等）及び／又はガストゥリキッド（ＧＴＬ）プロセス等により得られる合成ワックス（フィッシャートロプシュワックス、ＧＴＬワックス等）
（ii）上記（ｉ）から選ばれる１種又は２種以上の混合ワックスのマイルドハイドロクラッキング処理油
（iii）上記（ｉ）および（ii）から選ばれる２種以上の混合油
【００２９】
脱ろう処理としては、熱・酸化安定性と低温粘度特性をより高めることができ、潤滑油組成物の疲労防止性能をより高めることができる点で、接触脱ろう処理が好ましい。
また、必要に応じて溶剤精製処理及び／又は水素化仕上げ処理工程を更に設けてもよい。
【００３０】
また、接触脱ろう（触媒脱ろう）の場合は、上記（ｉ）〜（iii）に記載の油を、適当な脱ろう触媒の存在下、流動点を下げるのに有効な条件で水素と反応させる。接触脱ろうでは、異性化生成物中の高沸点物質の一部を低沸点物質へと転化させ、その低沸点物質をより重い基油留分から分離し、基油留分を分留し、２種以上の潤滑油基油を得る。低沸点物質の分離は、目的の潤滑油基油を得る前に、あるいは分留中に行うことができる。
【００３１】
脱ろう触媒としては、上記（ｉ）〜（iii）に記載の油の流動点を低下させることが可能なものであれば特に制限されないが、（ｉ）〜（iii）に記載の油から高収率で目的のワックス異性化基油を得ることができるものが好ましい。このような脱ろう触媒としては、形状選択的分子篩（モレキュラーシーブ）が好ましく、具体的には、フェリエライト、モルデナイト、ＺＳＭ−５、ＺＳＭ−１１、ＺＳＭ−２３、ＺＳＭ−３５、ＺＳＭ−２２（シータワン又はＴＯＮとも呼ばれる）、シリコアルミノホスフェート類（ＳＡＰＯ）などが挙げられる。これらのモレキュラーシーブは、触媒金属成分と組み合わせて使用することが好ましく、貴金属と組み合わせることがより好ましい。好ましい組合せとしては、例えば白金とＨ−モルデナイトとを複合化したものが挙げられる。
【００３２】
脱ろう条件は特に制限されないが、温度は２００〜５００℃が好ましく、水素圧は１０〜２００バール（１ＭＰａ〜２０ＭＰａ）が好ましい。また、フロースルー反応器の場合、Ｈ２処理速度は０．１〜１０ｋｇ／ｌ／ｈｒが好ましく、ＬＨＳＶは０．１〜１０ｈ−１が好ましく、０．２〜２．０ｈ−１がより好ましい。また、脱ろうは、（ｉ）〜（iii）に記載の油に含まれる、通常４０質量％以下、好ましくは３０質量％以下の、初留点が３５０〜４００℃である物質をこの初留点未満の沸点を有する物質へと転換するように行うことが好ましい。
【００３３】
本発明の潤滑油組成物の基油としては、ワックス異性化基油に加えて、各種基油を混合することも可能である。
【００３４】
各種基油として鉱油系基油および／または合成系基油が挙げられる。
鉱油系基油としては、ワックス異性化基油以外の鉱油系基油が挙げられる。また合成系基油としては、具体的には、ポリブテン又はその水素化物；１−オクテンオリゴマー、１−デセンオリゴマー、１−ドデセンオリゴマー等のポリ−α−オレフィン又はその水素化物；ジトリデシルグルタレート、ジ−２−エチルヘキシルアジペート、ジイソデシルアジペート、ジトリデシルアジペート、及びジ−２−エチルヘキシルセバケート等のジエステル；ネオペンチルグリコールエステル、トリメチロールプロパンカプリレート、トリメチロールプロパンペラルゴネート、ペンタエリスリトール−２−エチルヘキサノエート、及びペンタエリスリトールペラルゴネート等のポリオールエステル；アルキルナフタレン、アルキルベンゼン、及び芳香族エステル等の芳香族系合成油又はこれらの混合物等が例示できる。
【００３５】
なお、これらの鉱油系基油および／または合成系基油としては、これらの中から選ばれる１種または２種以上の任意の混合物等が使用できる。例えば、１種以上の鉱油系基油、１種以上の合成系基油、１種以上の鉱油系基油と１種以上の合成系基油との混合油等を挙げることができる。
本発明における他の基油を混合する場合の他の基油の含有量は、ワックス異性化基油成分と他の基油成分の混合基油を基準として、３０質量％以下であることが必要であり、好ましくは２０質量％以下であり、より好ましくは１０質量％以下、さらに好ましくは７質量％以下である。
【００３６】
また、前記ワックス異性化基油と他の基油からなる混合基油の１００℃における動粘度については基油ワックス異性化基油単独の場合と同じである。またその粘度指数についても同様である。
【００３７】
本発明の潤滑油組成物はチアジアゾールを含有することが好ましい。
【００３８】
本発明に係るチアジアゾールとしては、特に構造は限定されないが、例えば、下記一般式（３）で示される１，３，４−チアジアゾール化合物、一般式（４）で示される１，２，４−チアジアゾール化合物及び一般式（５）で示される１，４，５−チアジアゾール化合物を挙げることができる。
【００３９】
【化３】
2016157955.tif 000004
【００４０】
一般式（３）〜（５）中、Ｒ１〜Ｒ６は同一でも異なっていてもよく、それぞれ水素原子又は炭素数１〜３０の炭化水素基を示し、ａ、ｂ、ｃ、ｄ、ｅ及びｆはそれぞれ０〜８の整数を示す。
【００４１】
炭素数１〜３０の炭化水素基としては、例えば、アルキル基、シクロアルキル基、アルキルシクロアルキル基、アルケニル基、アリール基、アルキルアリール基、及びアリールアルキル基を挙げることができる。
【００４２】
このようなチアジアゾール化合物の具体例としては、２，５−ビス（ｎ−ヘキシルジチオ）−１，３，４−チアジアゾール、２，５−ビス（ｎ−オクチルジチオ）−１，３，４−チアジアゾール、２，５−ビス（ｎ−ノニルジチオ）−１，３，４−チアジアゾール、２，５−ビス（１，１，３，３−テトラメチルブチルジチオ）−１，３，４−チアジアゾール、３，５−ビス（ｎ−ヘキシルジチオ）−１，２，４−チアジアゾール、３，５−ビス（ｎ−オクチルジチオ）−１，２，４−チアジアゾール、３，５−ビス（ｎ−ノニルジチオ）−１，２，４−チアジアゾール、３，５−ビス（１，１，３，３−テトラメチルブチルジチオ）−１，２，４−チアジアゾール、４，５−ビス（ｎ−ヘキシルジチオ）−１，２，３−チアジアゾール、４，５−ビス（ｎ−オクチルジチオ）−１，２，３−チアジアゾール、４，５−ビス（ｎ−ノニルジチオ）−１，２，３−チアジアゾール、４，５−ビス（１，１，３，３−テトラメチルブチルジチオ）−１，２，３−チアジアゾール及びこれらの混合物などを好ましく挙げることができる。
【００４３】
チアジアゾールの含有量は、金属間摩擦係数の向上、および耐摩耗、耐焼付性の点から、潤滑油組成物全量基準で０．０５質量％以上であることが好ましく、０．１質量％以上がより好ましい。一方、１．５質量％以下であることが好ましく、より好ましくは１．２質量％以下であり、さらに好ましくは１質量％以下であり、最も好ましくは０．５質量％以下である。１．５質量％を超えると耐焼付性が逆に低下するため好ましくない。
【００４４】
本発明の潤滑油組成物はホウ酸変性アルケニルコハク酸イミド系分散剤を含有することが好ましい。
【００４５】
ホウ酸変性アルケニルコハク酸イミド系分散剤とは、ホウ酸変性させたアルケニルコハク酸イミド系分散剤を意味するが、最終生成物が同一であればその製造方法は特に限定されない。
【００４６】
コハク酸イミド系分散剤は、特に制限はなく通常使用されるものが使用できる。これらは１種の化合物を単独で用いても良く、２種以上の化合物の任意混合割合での混合物等を用いても良い。
【００４７】
アルケニルコハク酸イミドとしては、下記の一般式（６）または（７）で表される化合物が挙げられる。
【００４８】
【化４】
2016157955.tif 000005
【００４９】
上記一般式（６）及び（７）中で、Ｒ１、Ｒ２及びＲ３は、それぞれ個別に、炭素数４０〜４００、好ましくは６０〜３５０のアルケニル基を示し、ｐは１〜５、好ましくは２〜４の数を、ｑは０〜４、好ましくは１〜３の数をそれぞれ示している。
【００５０】
このコハク酸イミドの製造方法は何ら限定されるものではないが、例えば、プロピレンオリゴマー、ポリブテン、エチレン−プロピレン共重合等のポリオレフィンを無水マレイン酸と反応させて無水アルケニルコハク酸を得た後、ジエチレントリアミン、トリエチレンテトラミン、テトラエチレンペンタミン、ペンタエチレンヘキサミン等のポリアミンを用いてイミド化したもの等が挙げられる。
【００５１】
なお、コハク酸イミドには、イミド化に際しては、ポリアミンの一端に無水コハク酸が付加した、一般式（６）のようないわゆるモノタイプのコハク酸イミドと、ポリアミンの両端に無水コハク酸が付加した、一般式（７）のようないわゆるビスタイプのコハク酸イミドがあるが、そのいずれでも、またこれらの混合物でも使用可能である。
【００５２】
アルケニル基としては、直鎖状でも分枝状でも良いが、好ましいものとしては、プロピレン、１−ブテン、イソブチレンなどのオレフィンのオリゴマーやエチレンとプロピレンのコオリゴマーから誘導される分枝状アルキル基や分枝状アルケニル基が挙げられる。
【００５３】
アルケニル基の炭素数は、通常４０〜４００、好ましくは６０〜３５０である。炭素数が４０未満の場合は基油に対する溶解性が低下するおそれがあり、一方、４００を超える場合は、潤滑油組成物の低温流動性が悪化するおそれがある。
【００５４】
ホウ酸変性アルケニルコハク酸イミド系分散剤の含有量は、組成物全量基準、ホウ素元素換算で５０質量ｐｐｍ以上であることが好ましく、７０質量ｐｐｍ以上がより好ましく、１００質量ｐｐｍ以上がさらに好ましい。５０質量ｐｐｍ以上にすることで高い金属間摩擦係数を得ることができ、一方、４００質量ｐｐｍ以下であることが好ましく、３５０質量ｐｐｍ以下がより好ましく、３００質量ｐｐｍ以下がさらに好ましい。４００質量ｐｐｍ以下にすることでホウ酸が油中で分離することを防止できる。
【００５５】
本発明の潤滑油組成物はカルシウムスルフォネート系清浄剤を含有することが好ましい。
【００５６】
カルシウムスルフォネート系清浄剤としては、例えば、重量平均分子量３００〜１５００、好ましくは４００〜７００のアルキル芳香族化合物をスルホン化することによって得られるアルキル芳香族スルホン酸のカルシウム金属塩を用いることができる。
【００５７】
アルキル芳香族スルホン酸としては、例えば、いわゆる石油スルホン酸や合成スルホン酸が挙げられる。石油スルホン酸としては、一般に鉱油の潤滑油留分のアルキル芳香族化合物をスルホン化したものや、ホワイトオイル製造時に副生する、いわゆるマホガニー酸等が挙げられる。合成スルホン酸としては、例えば、洗剤の原料となるアルキルベンゼン製造プラントから副生したり、ポリオレフィンをベンゼンにアルキル化することにより得られる、直鎖状や分枝状のアルキル基を有するアルキルベンゼンをスルホン化したもの、あるいはジノニルナフタレン等のアルキルナフタレンをスルホン化したものが挙げられる。
これらアルキル芳香族化合物をスルホン化する際のスルホン化剤としては特に制限はないが、通常、発煙硫酸や無水硫酸が用いられる。
【００５８】
カルシウムスルフォネート系清浄剤の塩基価は、特に制限はないが酸化安定性確保の観点から、３００〜６００ｍｇＫＯＨ／ｇが好ましく、３５０〜５５０ｍｇＫＯＨ／ｇがより好ましく、４００〜５００ｍｇＫＯＨ／ｇがさらに好ましい。
【００５９】
カルシウムスルフォネート系清浄剤の含有量は、組成物全量基準、カルシウム元素換算で１００質量ｐｐｍ以上が好ましく、１５０質量ｐｐｍ以上がより好ましく、２００質量ｐｐｍ以上がさらに好ましい。
一方、クラッチ板の摩擦材の目詰まりによる摩擦係数の低下を防止する観点から、５００質量ｐｐｍ以下が好ましく、４５０質量ｐｐｍ以下がより好ましく、４００質量ｐｐｍ以下がさらに好ましい。
【００６０】
本発明の潤滑油組成物がホウ酸変性アルケニルコハク酸イミド系分散剤およびカルシウムスルフォネート系清浄剤の両方を含有する場合、ホウ酸変性アルケニルコハク酸イミド系分散剤のホウ素元素換算質量（［Ｂ］）とカルシウムスルフォネート系清浄剤のカルシウム元素換算質量（［Ｃａ］）の比率（［Ｂ］／［Ｃａ］）は、０．１以上が好ましく、０．３以上がより好ましく、０．５がさらに好ましい。一方、３．０以下が好ましく、２．５以下がより好ましく、２．０以下がさらに好ましい。［Ｂ］／［Ｃａ］を上記範囲内に制御することで高い金属間摩擦係数とチェーンベルトノイズ発生防止を両立することができる。
【００６１】
本発明の潤滑油組成物は、さらに下記一般式（１）または（２）で示される脂肪族アミド化合物を含有することが好ましい
【００６２】
【化５】
2016157955.tif 000006
【００６３】
一般式（１）において、Ｒ１は炭素数１０〜３０のアルキル基またはアルケニル基であり、直鎖もしくはメチル基を１つ置換基に持つ直鎖状の基である。Ｒ２およびＲ３はそれぞれ個別に水素又は炭素数１〜３のアルキル基を示すが、特に水素であることが好ましい。  Ｒ４は炭素数１〜４のアルキレン基であり、特に炭素数２のアルキレン基が好ましい。Ｒ５およびＲ６はそれぞれ個別に水素又は炭素数１〜３のアルキル基を示すが、特に水素が好ましい。Ｒ７は水素または炭素数１〜３０のアルキル基またはアルケニル基であるが、炭素数１０から３０の直鎖状アルキル基またはアルケニル基であることが好ましい。またｋは０〜６、好ましくは１〜４、ｍは０〜２、ｎ、ｐおよびｒはそれぞれ０〜１の整数を表す。
【００６４】
Ｒ１およびＲ７の炭素数は、それぞれ１０以上であり、１２以上が好ましく、１６以上がより好ましく、１８以上がさらに好ましい。一方、Ｒ１およびＲ７の炭素数は、それぞれ３０以下であり、２６以下が好ましく、２４以下がより好ましい。Ｒ１およびＲ７は直鎖状のアルキル基またはアルケニル基が好ましいが、カルボニル基のα位にメチル基を有する直鎖状のアルキル基またはアルケニル基がより好ましい。またＲ１およびＲ７は同一でも異なっていてもよいが、互いに同一であることが好ましい。
Ｒ１、Ｒ７の炭素数を１０以上とすることによりベルトノイズ防止性を改善することができる。また炭素数が３０を超えると組成物の低温時の粘度特性が悪化するため好ましくない。  
また、ｋは２以上が好ましく、４以下が好ましい。ｍは０または１が好ましく、０が最も好ましい。またｐは１が好ましく、ｒは０が好ましい。こうすることにより高いベルトノイズ防止性を発揮することができる。
【００６５】
本発明において、一般式（１）で示される脂肪族アミド化合物としては脂肪酸ジアミドが好ましく、特に脂肪酸ポリアミンジアミド（例えば、ポリアルキレンポリアミンジイソステアリン酸アミドなど）が好ましい。
【００６６】
【化６】
2016157955.tif 000007
【００６７】
一般式（２）において、Ｒ１およびＲ２はそれぞれ個別に炭素数１０〜３０のアルキル基またはアルケニル基であり、直鎖もしくはメチル基を１つ置換基に持つ直鎖状の基である。ｍは３〜３０の整数を表す。Ｘは個別に水素、Ｒ３−ＣＯ−、またはＲ４−ＣＯ−ＮＨ−（ＣＨ２）ｎ−を表す。ここでＲ３およびＲ４は個別に炭素数１０〜３０のアルキル基またはアルケニル基であり、ｎは１〜３の整数である。
【００６８】
Ｒ１およびＲ２の炭素数は、それぞれ１０以上であり、１２以上が好ましく、１４以上がより好ましく、１６以上がさらに好ましい。一方、Ｒ１およびＲ２の炭素数は、それぞれ３０以下であり、２６以下が好ましく、２４以下がより好ましい。Ｒ１およびＲ２は直鎖状のアルキル基またはアルケニル基が好ましいが、カルボニル基のα位にメチル基を有する主鎖が直鎖状のアルキル基またはアルケニル基がより好ましい。またＲ１およびＲ２は互いに同一であることが好ましい。
Ｒ１、Ｒ２の炭素数を１０以上とすることによりベルトノイズ防止性を改善することができる。また炭素数が３０を超えると組成物の低温時の粘度特性が悪化するため好ましくない。  
【００６９】
ｍは３〜３０の整数であり、３〜２０が好ましく、３〜１０がより好ましい。こうすることにより高いベルトノイズ防止性を発揮することができる。
【００７０】
Ｘは水素原子、Ｒ３−ＣＯ−、またはＲ４−ＣＯ−ＮＨ−（ＣＨ２）ｎ−を表す。ここで、Ｒ３およびＲ４はそれぞれ個別にアルキル基またはアルケニル基であり、その炭素数は１０〜３０、好ましくは１２〜２６、より好ましくは１４〜２４、さらに好ましくは１６〜２２である。またｎは１〜３、好ましくは２の整数である。
【００７１】
式（２）の構造単位−ＮＸ−（ＣＨ２）２−におけるＸは互いに同一であっても異なっていても良い。ｍ個ある構造単位のうちの少なくとも１つのＸはＲ３−ＣＯ−またはＲ４−ＣＯ−ＮＨ−（ＣＨ２）ｎ−であることが好ましい。
【００７２】
化合物がＲ３およびＲ４の両方を含む場合や、Ｒ３またはＲ４を複数含む場合、それらＲ３およびＲ４は、複数のＲ３同士、複数のＲ４同士、Ｒ３およびＲ４のいずれにおいても互いに同一であっても異なっていても良い。
【００７３】
一般式（２）で示される化合物としては、例えば、下記の式（２ａ）、（２ｂ）、（２ｃ）で示される化合物を例示することができる。ここでＲ１は式（２）におけるＲ１を表す。Ｒ１の好ましい例としては、例えばＣ１７Ｈ３５を挙げることができる。
【化７】
2016157955.tif 000008
【００７４】
一般式（１）および／または（２）で表される脂肪族アミド化合物の含有量は、組成物全量基準で０．５質量％以上であることが好ましく、１．０質量％以上がより好ましく、１．２質量％以上がさらに好ましい。一方、３．０質量％以下であることが好ましく、２．０質量％以下がより好ましく、１．５質量％以下がさらに好ましい。脂肪族アミド化合物を上記範囲とすることで摩耗防止剤等の反応を阻害せず金属摺動部の潤滑状態が良好となる。
【００７５】
本発明の潤滑油組成物は、リン系添加剤（リン系摩耗防止剤）を含有することが好ましい。
【００７６】
リン系添加剤としては、分子中にリンを含むものであれば特に制限はないが、例えば、炭素数１〜３０の炭化水素基を有するリン酸モノエステル類、リン酸ジエステル類、リン酸トリエステル類、亜リン酸モノエステル類、亜リン酸ジエステル類、亜リン酸トリエステル類、チオリン酸モノエステル類、チオリン酸ジエステル類、チオリン酸トリエステル類、チオ亜リン酸モノエステル類、チオ亜リン酸ジエステル類、チオ亜リン酸トリエステル類、これらのエステル類とアミン類あるいはアルカノールアミン類との塩若しくは亜鉛塩等の金属塩等が使用できる。
【００７７】
前記炭素数１〜３０の炭化水素基としては、具体的には、アルキル基、シクロアルキル基、アルケニル基、アルキル置換シクロアルキル基、アリール基、アルキル置換アリール基、及びアリールアルキル基を挙げることができ、１種類あるいは２種類以上を任意に配合することができる。
【００７８】
本発明においては、リン系添加剤のうち、炭素数４〜２０のアルキル基又は炭素数６〜１２の（アルキル）アリール基を有する亜リン酸エステル若しくはリン酸エステルが好ましい。
また、炭素数４〜２０のアルキル基を有する亜リン酸エステルおよび炭素数６〜１２の（アルキル）アリール基を有する亜リン酸エステルから選ばれる１種又は２種以上の混合物がより好ましい。
さらに、フェニルホスファイト等の炭素数６〜７の（アルキル）アリール基を有する亜リン酸エステルおよび／または炭素数４〜８のアルキル基を有する亜リン酸エステルがより好ましい。これらの中でも、ジブチルホスファイトが最も好ましい。
アルキル基は直鎖状でも良いが、分枝状であることがより好ましい。炭素数が少ないほうが、また分枝状であるほうが金属間摩擦係数が高いことによる。
【００７９】
本発明の潤滑油組成物においてリン系添加剤の含有量は、リン元素濃度として、好ましくは０．００５〜０．１０質量％である。金属材料の摩耗防止性及び金属間摩擦係数をより高めることができる点で０．００５質量％以上であることが好ましく、より好ましくは０．０１質量％以上、さらに好ましくは０．０２質量％以上である。一方、０．１０質量％以下であることが好ましく、より好ましくは０．０８質量％以下、特に好ましくは０．０６質量％以下である。０．１０質量％を超えると、潤滑油組成物の酸化安定性が低下したり、シール材等への悪影響が懸念されるため好ましくない。
【００８０】
本発明の潤滑油組成物において、組成物中の硫黄分の硫黄原子換算質量（［Ｓ］）と組成物中のリン分のリン原子換算質量（［Ｐ］）の比（［Ｓ］／［Ｐ］）が３．０〜５．０であることが好ましい。［Ｓ］／［Ｐ］を上記範囲とすることで、金属間摩擦係数を高く保持しながら耐摩耗性や耐焼付性を長期間維持できる潤滑油組成物を得ることができる。
【００８１】
本発明の潤滑油組成物には、さらに性能を高める目的で、公知の潤滑油添加剤、例えば、粘度指数向上剤、極圧添加剤、酸化防止剤、腐食防止剤、消泡剤、着色剤等に代表される各種添加剤を単独で、又は数種類組み合わせて配合することができる。
【００８２】
本発明の潤滑油組成物の１００℃における動粘度は、４．０ｍｍ２／ｓ以上であることが必要であり、４．５ｍｍ２／ｓ以上が好ましく、５．０ｍｍ２／ｓ以上がより好ましい。４．０ｍｍ２／ｓ以上にすることで、十分な潤滑性を確保でき、また潤滑油基油の蒸発損失を抑制することができる。
一方、１００℃における動粘度は、７．５ｍｍ２／ｓ以下であることが必要であり、７．０ｍｍ２／ｓ以下が好ましく、６．５ｍｍ２／ｓ以下がより好ましい。７．５ｍｍ２／ｓ以下にすることで、低温粘度特性に優れた潤滑油組成物を得られる。
【００８３】
本発明の潤滑油組成物は、特にチェーンベルト式無段変速機に好適に用いることができる。
【実施例】
【００８４】
以下に実施例を挙げて本発明を具体的に説明するが、本発明はこれらの実施例に限定されるものではない。【００８５】
（実施例１〜１３、比較例１〜３）
表１に示す組成の潤滑油組成物を調製した。基油の割合（容量％）は基油全量基準、各添加剤の添加量（質量％）は組成物全量基準である。各潤滑油組成物の性状について下記試験により評価し表１に併記した。【００８６】
（１）ＡＳＴＭ  Ｄ２７８３に準拠した高速四球試験法による初期焼き付き荷重（ＬＮＳＬ）
（２）ＡＳＴＭ  Ｄ４１７２に準拠した高速四球試験法による摩耗痕径
（３）ＡＳＴＭ  Ｄ３２３３に準拠したファレックス焼き付き試験法による焼き付き荷重
（４）ＪＡＳＯ法（高荷重法）Ｍ３５８：２００５に準拠したＬＦＷ−１試験による金属間摩擦係数
（５）ＩＰ３０５／７９に規定されるユニスチール試験機にて実施した軸受寿命試験（荷重５００ｋｇｆ、油温１２０℃、ニードルベアリング）【００８７】
また本発明者は、ベルトノイズと相関のある評価方法を見出した。具体的にはＬＦＷ−１試験機を使用し、荷重２０００Ｎ、すべり速度０ｍ／ｓから１秒間で０．３ｍ／ｓまで等速加速し、０．３ｍ／ｓに達した後のさらに１秒後から３秒後までの、２／１００秒間隔で測定した時間ＸとそのときのトルクＹから下記（７）式で“ｂ”を算出する方法である。油温６０℃および１００℃において、この“ｂ”が負となる潤滑油組成物はベルトノイズが発生しにくい。
ｂ＝（ｎΣｘｙ−（Σｘ）（Σｙ））／（ｎΣｘ２−（Σｘ）２）  （７）【００８８】
【表１】
2016157955.tif 000009
【国際調査報告】
2016157955.tif 000012
2016157955.tif 000013
2016157955.tif 000014
2016157955.tif 000015
2016157955.tif 000016